Podtech/llm-jp-corpus-v4-ja_patent huggingface dataset:
【手続補正書】
【提出日】平成20年11月28日(2008.11.28)
【手続補正１】
【補正対象書類名】特許請求の範囲
【補正対象項目名】全文
【補正方法】変更
【補正の内容】
【特許請求の範囲】
【請求項１】
第１のインクに対応した複数の第１吐出口列と前記第１のインクとは種類の異なる第２のインクに対応した複数の第２吐出口列とが走査方向に沿って配置された記録ヘッドを前記走査方向に記録媒体に対し走査させながら、前記第１吐出口列および第２吐出口列夫々について予め定められた記録許容率に基づくインク吐出を行うことにより、前記記録媒体に画像を記録するインクジェット記録装置において、
前記複数の第１吐出口列間の距離は、前記複数の第２吐出口列間の距離よりも小さく、
前記第１吐出口列における端部吐出口と中央部吐出口の記録許容率の差は、前記第２吐出口列における端部吐出口と中央部吐出口の記録許容率の差よりも大きいことを特徴とするインクジェット記録装置。
【請求項２】
前記記録許容率は、前記第１、第２吐出口列夫々に対応した第１、第２マスクパターンによって規定されることを特徴とする請求項１に記載のインクジェット記録装置。
【請求項３】
前記複数の第１吐出口列と前記複数の第２吐出口列は、前記走査方向に沿って前記第２吐出口列、前記第１吐出口列、前記第１吐出口列、前記第２吐出口列の順で配列されていることを特徴とする請求項１または２に記載のインクジェット記録装置。
【請求項４】
第１のインクを吐出するための２つの第１吐出口列および前記第１のインクとは種類の異なる第２のインクを吐出するための２つの第２吐出口列が走査方向に配列された記録ヘッドを記録媒体の所定領域に対して前記走査方向へ複数回走査させながら、前記第１吐出口列および第２吐出口列夫々に対応したマスクパターンに従って前記所定領域に前記記録ヘッドよりインクを吐出することにより、前記所定領域に画像を記録するインクジェット記録装置において、
前記２つの第１吐出口列間の前記走査方向における距離は、前記２つの第２吐出口列間の前記走査方向における距離とは異なり、
前記第１吐出口列に対応したマスクパターンの記録許容画素の分布が、前記第２吐出口列に対応したマスクパターンの記録許容画素の分布とは異なることを特徴とするインクジェット記録装置。
【請求項５】
第１のインクに対応した複数の第１吐出口列と前記第１のインクとは種類の異なる第２のインクに対応した複数の第２吐出口列とが走査方向に沿って配置された記録ヘッドを前記走査方向に記録媒体に対し走査させながら、前記第１吐出口列および第２吐出口列夫々について予め定められた記録許容率に基づくインク吐出を行うことにより、前記記録媒体に画像を記録するインクジェット記録方法において、
前記複数の第１吐出口列間の距離は、前記複数の第２吐出口列間の距離よりも小さく、
前記第１吐出口列における端部吐出口と中央部吐出口の記録許容率の差は、前記第２吐出口列における端部吐出口と中央部吐出口の記録許容率の差よりも大きいことを特徴とするインクジェット記録方法。
【手続補正２】
【補正対象書類名】明細書
【補正対象項目名】００１９
【補正方法】変更
【補正の内容】
【００１９】
【特許文献１】特開２００２−９６４５５号公報
【特許文献２】特開２００２−２９２９１０号公報
【特許文献３】特開２００１−１７１１１９号公報
【手続補正３】
【補正対象書類名】明細書
【補正対象項目名】００３４
【補正方法】変更
【補正の内容】
【００３４】
そのために本発明は、第１のインクに対応した複数の第１吐出口列と前記第１のインクとは種類の異なる第２のインクに対応した複数の第２吐出口列とが走査方向に沿って配置された記録ヘッドを前記走査方向に記録媒体に対し走査させながら、前記第１吐出口列および第２吐出口列夫々について予め定められた記録許容率に基づくインク吐出を行うことにより、前記記録媒体に画像を記録するインクジェット記録装置において、前記複数の第１吐出口列間の距離は、前記複数の第２吐出口列間の距離よりも小さく、前記第１吐出口列における端部吐出口と中央部吐出口の記録許容率の差は、前記第２吐出口列における端部吐出口と中央部吐出口の記録許容率の差よりも大きいことを特徴とする。
【手続補正４】
【補正対象書類名】明細書
【補正対象項目名】００３５
【補正方法】変更
【補正の内容】
【００３５】
また、第１のインクを吐出するための２つの第１吐出口列および前記第１のインクとは種類の異なる第２のインクを吐出するための２つの第２吐出口列が走査方向に配列された記録ヘッドを記録媒体の所定領域に対して前記走査方向へ複数回走査させながら、前記第１吐出口列および第２吐出口列夫々に対応したマスクパターンに従って前記所定領域に前記記録ヘッドよりインクを吐出することにより、前記所定領域に画像を記録するインクジェット記録装置において、前記２つの第１吐出口列間の前記走査方向における距離は、前記２つの第２吐出口列間の前記走査方向における距離とは異なり、前記第１吐出口列に対応したマスクパターンの記録許容画素の分布が、前記第２吐出口列に対応したマスクパターンの記録許容画素の分布とは異なることを特徴とする。
【手続補正５】
【補正対象書類名】明細書
【補正対象項目名】００３６
【補正方法】変更
【補正の内容】
【００３６】
更に、第１のインクに対応した複数の第１吐出口列と前記第１のインクとは種類の異なる第２のインクに対応した複数の第２吐出口列とが走査方向に沿って配置された記録ヘッドを前記走査方向に記録媒体に対し走査させながら、前記第１吐出口列および第２吐出口列夫々について予め定められた記録許容率に基づくインク吐出を行うことにより、前記記録媒体に画像を記録するインクジェット記録方法において、前記複数の第１吐出口列間の距離は、前記複数の第２吐出口列間の距離よりも小さく、前記第１吐出口列における端部吐出口と中央部吐出口の記録許容率の差は、前記第２吐出口列における端部吐出口と中央部吐出口の記録許容率の差よりも大きいことを特徴とする。
【手続補正書】
【提出日】平成21年5月11日(2009.5.11)
【手続補正１】
【補正対象書類名】特許請求の範囲
【補正対象項目名】全文
【補正方法】変更
【補正の内容】
【特許請求の範囲】
【請求項１】
液体が吐出される吐出口が形成された吐出口面に、保護テープが接着された液体吐出ヘッドにおいて、
前記保護テープは、前記吐出口面に接着されてから励起されることにより、接着力を変化させたものであることを特徴とする液体吐出ヘッド。
【請求項２】
前記保護テープは、前記吐出口面の形成部位の強度に応じて接着力を変化させたことを特徴とする請求項１に記載の液体吐出ヘッド。
【請求項３】
前記保護テープにおいては、接着力が強い部分と、該強い部分よりも接着力が弱い部分とがあり、前記接着力が強い部分は、前記吐出口の周辺に接着されることを特徴とする請求項１または２に記載の液体吐出ヘッド。
【請求項４】
前記保護テープにおいては、接着力が強い部分と、該強い部分よりも接着力が弱い部分とがあり、前記接着力が弱い部分は、複数の吐出口にそれぞれ連通する複数の液体流路が共通して連通する共通液室の上側に位置する前記吐出口面の領域に接着されることを特徴とする請求項１から３のいずれかに記載の液体吐出ヘッド。
【請求項５】
前記保護テープは、マスクを通して部分的に励起されることで、接着力の強弱が実現されることを特徴とする請求項１から４のいずれかに記載の液体吐出ヘッド。
【請求項６】
前記保護テープは、基材と粘着剤とを含み、
前記基材の厚みが１００μｍ以下であることを特徴とする請求項１から５のいずれかに記載の液体吐出ヘッド。
【請求項７】
前記吐出口から吐出される液体を収容するタンクと、請求項１から６のいずれかに記載の液体吐出ヘッドと、を有するインクジェットカートリッジ。
【請求項８】
液体が吐出される吐出口が形成された液体吐出ヘッドの吐出口面に、保護テープを接着する液体吐出ヘッド用保護テープの接着方法であって、
前記吐出口面に前記保護テープを接着してから、前記保護テープの接着力を前記吐出口面の部位に応じて変化させるように、前記保護テープを励起させることを特徴とする液体吐出ヘッド用保護テープの接着方法。
【請求項９】
前記保護テープは、紫外線または赤外線の照射により励起されて接着力が変化することを特徴とする請求項８に記載の液体吐出ヘッド用保護テープの接着方法。
【請求項１０】
液体が吐出される吐出口が形成された液体吐出ヘッドの吐出口面に接着される液体吐出ヘッド用保護テープであって、
前記吐出口面に接着されてから励起されることにより、前記吐出口面の部位に応じて接着力を変化させたことを特徴とする液体吐出ヘッド用保護テープ。
【手続補正２】
【補正対象書類名】明細書
【補正対象項目名】発明の名称
【補正方法】変更
【補正の内容】
【発明の名称】液体吐出ヘッド、インクジェットカートリッジ、液体吐出ヘッド用保護テープの接着方法及び液体吐出ヘッド用保護テープ
【手続補正３】
【補正対象書類名】明細書
【補正対象項目名】００１０
【補正方法】変更
【補正の内容】
【００１０】
本発明の液体吐出ヘッドにおいては、液体が吐出される吐出口が形成された吐出口面に、保護テープが接着された液体吐出ヘッドにおいて、前記保護テープは、前記吐出口面に接着されてから励起されることにより、接着力を変化させたものであることを特徴とする。
本発明のインクジェットカートリッジにおいては、前記吐出口から吐出される液体を収容するタンクと、上記の液体吐出ヘッドと、を有する。
【手続補正４】
【補正対象書類名】明細書
【補正対象項目名】００１１
【補正方法】変更
【補正の内容】
【００１１】
本発明の液体吐出ヘッド用保護テープの接着方法においては、液体が吐出される吐出口が形成された液体吐出ヘッドの吐出口面に、保護テープを接着する液体吐出ヘッド用保護テープの接着方法であって、前記吐出口面に前記保護テープを接着してから、前記保護テープの接着力を前記吐出口面の部位に応じて変化させるように、前記保護テープを励起させることを特徴とする。
【手続補正５】
【補正対象書類名】明細書
【補正対象項目名】００１２
【補正方法】変更
【補正の内容】
【００１２】
本発明の液体吐出ヘッド用保護テープにおいては、液体が吐出される吐出口が形成された液体吐出ヘッドの吐出口面に接着される液体吐出ヘッド用保護テープであって、前記吐出口面に接着されてから励起されることにより、前記吐出口面の部位に応じて接着力を変化させたことを特徴とする。
【手続補正書】
【提出日】平成21年4月21日(2009.4.21)
【手続補正１】
【補正対象書類名】特許請求の範囲
【補正対象項目名】全文
【補正方法】変更
【補正の内容】
【特許請求の範囲】
【請求項１】
遊技球が流下する遊技領域を備えた遊技機本体と、
前記遊技領域に設けられると共に識別情報を変化表示する識別情報表示装置と、
前記遊技領域に設けられた作動口を遊技球が通過した場合、情報を取得する情報取得手段と、
前記情報取得手段が取得した情報に基づいて当たり外れの判定を行う判定手段と、
前記判定手段の判定結果に基づいて前記識別情報の変化表示を行うと共に、前記判定手段の判定結果が当たりの場合には特定識別情報を最終停止表示するように、前記識別情報表示装置を表示制御する識別情報制御手段と、
前記判定手段の判定結果が当たりであって前記特定識別情報を最終停止表示した場合、遊技状態を通常遊技状態より遊技者に有利な特別遊技状態に移行させる特別遊技状態移行手段と、
前記情報取得手段の取得する情報を規定数を上限として保留記憶する保留記憶手段と
を備えた遊技機において、
前記遊技領域に、前記作動口として少なくとも第１作動口と第２作動口を設け、
前記保留記憶手段として、前記第１作動口を遊技球が通過した場合に前記情報取得手段が取得する情報を、前記規定数を上限として保留記憶する第１保留記憶手段と、前記第２作動口を遊技球が通過した場合に前記情報取得手段が取得する情報を、第２規定数を上限として保留記憶する第２保留記憶手段と、を設け、
前記判定手段を、前記第１保留記憶手段又は前記第２保留記憶手段の保留記憶する情報を用いて前記当たり外れの判定を行う構成とし、
さらに、
前記各保留記憶手段の保留記憶数の総和を把握する総保留数把握手段と、
前記判定手段の判定結果と前記総保留数把握手段の把握結果とに基づいて、前記識別情報を最終停止表示させるまでの変化表示時間を決定する変化表示時間決定手段と
を備えることを特徴とする遊技機。
【請求項２】
前記変化表示時間決定手段は、前記総保留数把握手段の把握結果が第１保留数以上である場合の変化表示時間を、前記総保留数把握手段の把握結果が前記第１保留数未満である場合の変化表示時間より短いものとすることを特徴とする請求項１に記載の遊技機。
【請求項３】
前記変化表示時間決定手段は、前記総保留数把握手段の把握結果が少なくとも前記規定数以上である場合の変化表示時間を、前記総保留数把握手段の把握結果が０である場合の変化表示時間より短いものとすることを特徴とする請求項１又は２に記載の遊技機。
【請求項４】
前記変化表示時間決定手段は、前記総保留数把握手段の把握結果が少なくとも前記第２規定数以上である場合の変化表示時間を、前記総保留数把握手段の把握結果が０である場合の変化表示時間より短いものとすることを特徴とする請求項１乃至３のいずれか１に記載の遊技機。
【請求項５】
前記変化表示時間決定手段は、前記識別情報の変化表示終了時における前記各保留記憶手段の保留記憶数の総和が前記規定数より大きい場合、次回の識別情報の変化表示時間を、前記総保留数把握手段の把握結果が０である場合の変化表示時間より短いものとすることを特徴とする請求項１乃至４のいずれか１に記載の遊技機。
【請求項６】
前記総保留数把握手段の把握結果と、前記変化表示時間との対応関係が定められた変化表示時間情報群を備え、前記変化表示時間決定手段は、前記総保留数把握手段の把握結果と、前記変化表示時間情報群に定められた内容とに基づいて前記変化表示時間を決定することを特徴とする請求項１乃至５のいずれか１に記載の遊技機。
【請求項７】
前記変化表示時間決定手段は、少なくとも前記判定手段の判定結果が外れであって前記特定識別情報が最終停止表示されることを期待できない完全外れ変化表示を行う場合に、前記総保留数把握手段の把握結果に基づいて前記変化表示時間を決定することを特徴とする請求項１乃至６のいずれか１に記載の遊技機。
【請求項８】
遊技球が前記各作動口を通過した通過順序を記憶する通過順序記憶手段を備え、前記判定手段は、前記通過順序記憶手段の記憶内容に応じた順序で前記各保留記憶手段の保留記憶する情報を用いることを特徴とする請求項１乃至７のいずれか１に記載の遊技機。
【請求項９】
前記各保留記憶手段は、遊技球が前記各作動口を通過した通過順序を記憶しないことを特徴とする請求項８に記載の遊技機。
【手続補正書】
【提出日】平成21年3月18日(2009.3.18)
【手続補正１】
【補正対象書類名】特許請求の範囲
【補正対象項目名】全文
【補正方法】変更
【補正の内容】
【特許請求の範囲】
【請求項１】
被検者の胴体を支持する胴体支持装置と、
前記被検者における検査対象となった体肢を固定する体肢固定装置と、
前記体肢固定装置により固定された体肢内に存在する骨に対して超音波の送受波を行う超音波ユニットと、
を含み、
前記胴体支持装置によって支持される胴体の高さに対して、前記体肢固定装置によって固定される体肢の高さを相対的に可変する高さ可変手段が設けられたことを特徴とする骨検査システム。
【請求項２】
請求項１記載のシステムにおいて、
前記検査対象となった体肢は下肢における膝下部位であり、
前記体肢固定装置は前記膝下部位を固定する検査部位固定装置であり、
前記超音波ユニットは、前記膝下部位に当接されるプローブを有する、ことを特徴とする骨検査システム。
【請求項３】
請求項２記載のシステムにおいて、
前記検査部位固定装置は、前記膝下部位を水平状態に保ちつつ当該膝下部位を固定する機構である、ことを特徴とする骨検査システム。
【請求項４】
請求項３記載のシステムにおいて、
前記高さ可変手段により、検査時においては、前記被検者の臀部が低い位置に位置決めされ、且つ、前記膝下部位が前記臀部よりも高い位置に位置決めされ、これにより前記被検者の腰が緩やかに屈曲し、且つ、前記被検者の膝が緩やかに屈曲する、ことを特徴とする骨検査システム。
【請求項５】
請求項４記載のシステムにおいて、
前記高さ可変手段は、前記胴体支持機構に設けられた昇降機構を有する、ことを特徴とする骨検査システム。
【請求項６】
請求項２記載のシステムにおいて、
前記検査部位固定装置は、前記検査対象となった下肢におけるつま先が他の下肢とは反対側へ開いた状態となるように、前記膝下部位を回転させる回転機構を有する、ことを特徴とする骨検査システム。
【請求項７】
請求項６記載のシステムにおいて、
前記回転機構は、前記膝下部位内に存在する頸骨の平坦面が水平面となるように前記膝下部位を回転させる機構である、ことを特徴とする骨検査システム。
【請求項８】
請求項２記載のシステムにおいて、
前記検査部位固定装置は、
前記膝下部位における近位側を保持する近位保持機構と、
前記膝下部位における遠位側を保持する遠位保持機構と、
を含むことを特徴とする骨検査システム。
【請求項９】
請求項２記載のシステムにおいて、
更に、前記膝下部位における加圧箇所を加圧する加圧機構を有し、
前記超音波ユニットは、加圧状態において前記骨に対して超音波を送受波し、それにより得られた受信信号に基づいて骨の微小変位を計測する、ことを特徴とする骨検査システム。
【請求項１０】
請求項１記載のシステムにおいて、
前記胴体支持装置は前記被検者の胴体を支持するベッドを含むことを特徴とする骨検査システム。
【請求項１１】
請求項１記載のシステムにおいて、
前記胴体支持装置は前記被検者の胴体を支持するリクライニングシートを含むことを特徴とする骨検査システム。
【請求項１２】
被検者の胴体を支持する胴体支持装置と共に用いられ、前記被検者における検査対象となった膝下部位を固定する検査部位固定装置であって、
前記膝下部位の近位側を保持する近位保持機構と、
前記膝下部位の遠位側を保持する遠位保持機構と、
を含み、
前記胴体支持装置によって支持される胴体の臀部よりも当該検査部位固定装置によって固定される前記膝下部位が高い位置に位置決めされ、その位置決め状態で前記膝下部位中の骨に対して超音波を用いた検査がなされる、ことを特徴とする検査部位固定装置。
【請求項１３】
請求項１２記載の装置において、
前記近位側保持機構及び前記遠位側保持機構は、前記膝下部位を水平状態に維持するための機構である、ことを特徴とする検査部位固定装置。
【請求項１４】
請求項１２記載の装置において、
当該検査部位固定装置は前記胴体支持装置とは別体に構成された、ことを特徴とする検査部位固定装置。
【請求項１５】
請求項１２記載の検査部位固定装置と共に用いられる胴体支持装置であって、
前記膝下部位を水平状態に維持するために前記被検者の胴体の位置決めを行う昇降機構を備えたことを特徴とする胴体支持装置。
【手続補正２】
【補正対象書類名】明細書
【補正対象項目名】００１１
【補正方法】変更
【補正の内容】
【００１１】
望ましくは、前記高さ可変手段により、検査時においては、前記被検者の臀部が低い位置に位置決めされ、且つ、前記膝下部位が前記臀部よりも高い位置に位置決めされ、これにより前記被検者の腰が緩やかに屈曲し、且つ、前記被検者の膝が緩やかに屈曲する。
【手続補正３】
【補正対象書類名】明細書
【補正対象項目名】００１２
【補正方法】変更
【補正の内容】
【００１２】
望ましくは、前記高さ可変手段は、第１昇降機構と第２昇降機構を有する。この構成によれば第１昇降機構と第２昇降機構のそれぞれを動作させて、適正な検査姿勢を迅速に設定することが可能である。
【手続補正４】
【補正対象書類名】明細書
【補正対象項目名】００１８
【補正方法】変更
【補正の内容】
【００１８】
（２）本発明に係る装置は、被検者の胴体を支持する胴体支持装置と共に用いられ、前記被検者における検査対象となった膝下部位を固定する検査部位固定装置であって、前記膝下部位の近位側を保持する近位保持機構と、前記膝下部位の遠位側を保持する遠位保持機構と、を含み、前記胴体支持装置によって支持される胴体の臀部よりも当該検査部位固定装置によって固定される前記膝下部位が高い位置に位置決めされ、その位置決め状態で前記膝下部位中の骨に対して超音波を用いた検査がなされる、ことを特徴とする。
【手続補正書】
【提出日】平成21年5月11日(2009.5.11)
【手続補正１】
【補正対象書類名】特許請求の範囲
【補正対象項目名】全文
【補正方法】変更
【補正の内容】
【特許請求の範囲】
【請求項１】
遊技領域を特定領域が設けられる第１の遊技領域とその他の第２の遊技領域とに区画形成する役物と、
前記第２の遊技領域に設けられる第１の始動口と、
前記第２の遊技領域に設けられる第２の始動口と、
前記第１の遊技領域内への遊技球の進入の確率が高くなるように動作可能な第１の可動片と、
前記第１の始動口への遊技球の入球の必要条件となる動作を行う第２の可動片と、
予め定められた数値範囲内で更新される数である乱数が保持される乱数保持手段と、
前記第２の始動口に遊技球が入球されることに基づいて前記第２の可動片の動作契機となる当たりについての当落にかかる抽選処理を行う抽選手段と、
前記抽選手段により前記当たりが当選されることに基づいて前記第２の可動片の駆動制御を行うとともに当該駆動制御に応じた前記第２の可動片の動作によって入球可能とされた前記第１の始動口に遊技球がさらに入球されたとき、前記第１の可動片の駆動制御を行う駆動制御手段と、
前記駆動制御手段による前記第１の可動片の駆動制御を通じて前記第１の遊技領域内に進入した遊技球が前記特定領域に受け入れられたとき、遊技者にとって有利な特別遊技を行う特別遊技実行手段と、を備え、
前記駆動制御手段は、予め定められた特定の条件が満たされた後の所定の期間は当該期間が経過した後の通常の期間よりも前記第２の遊技領域に所定数の遊技球が打ち込まれたときの前記第１の遊技領域内に入球される遊技球の数が多くなるように前記第２の可動片の駆動制御を行う遊技機であって、
前記駆動制御手段は、前記特定の条件が満たされるときは、前記通常の期間及び前記所定の期間のいずれの期間中に当該条件が満たされるかを判断するとともに、前記通常の期間中に前記特定の条件が満たされると判断されるときは、前記所定の期間としての第１の期間だけ前記第１の遊技領域内に入球される遊技球の数が多くなるように前記第２の可動片を駆動制御し、前記所定の期間中に前記特定の条件が満たされると判断されるときは、前記第１の期間よりも長い前記所定の期間としての第２の期間だけ前記第１の遊技領域内に入球される遊技球の数が多くなるように前記第２の可動片を駆動制御する
ことを特徴とする遊技機。
【請求項２】
前記駆動制御手段は、前記所定の期間中であるか否かを示す期間情報が記憶される期間情報記憶手段を備え、前記特定の条件が満たされたときは、該期間情報記憶手段に記憶されている期間情報に基づいて前記通常の期間及び前記所定の期間のいずれの期間中に当該条件が満たされたかを判断するものである
請求項１に記載の遊技機。
【請求項３】
前記抽選手段による前記抽選処理の結果には、前記第２の可動片の動作時間として各々異なる動作時間を示す動作時間情報がそれぞれ対応付けられた複数種の当たりが前記第２の可動片の動作契機となる当たりとして含まれ、前記駆動制御手段は、前記第２の可動片の駆動制御を行うときは該当する当たりの種類に応じた動作時間だけ前記第２の可動片が動作するように前記第２の可動片の駆動制御を行う
請求項１または２に記載の遊技機。
【手続補正２】
【補正対象書類名】明細書
【補正対象項目名】０００６
【補正方法】変更
【補正の内容】
【０００６】
こうした目的を達成するため、請求項１に記載の発明では、遊技領域を特定領域が設けられる第１の遊技領域とその他の第２の遊技領域とに区画形成する役物と、前記第２の遊技領域に設けられる第１の始動口と、前記第２の遊技領域に設けられる第２の始動口と、前記第１の遊技領域内への遊技球の進入の確率が高くなるように動作可能な第１の可動片と、前記第１の始動口への遊技球の入球の必要条件となる動作を行う第２の可動片と、予め定められた数値範囲内で更新される数である乱数が保持される乱数保持手段と、前記第２の始動口に遊技球が入球されることに基づいて前記第２の可動片の動作契機となる当たりについての当落にかかる抽選処理を行う抽選手段と、前記抽選手段により前記当たりが当選されることに基づいて前記第２の可動片の駆動制御を行うとともに当該駆動制御に応じた前記第２の可動片の動作によって入球可能とされた前記第１の始動口に遊技球がさらに入球されたとき、前記第１の可動片の駆動制御を行う駆動制御手段と、前記駆動制御手段による前記第１の可動片の駆動制御を通じて前記第１の遊技領域内に進入した遊技球が前記特定領域に受け入れられたとき、遊技者にとって有利な特別遊技を行う特別遊技実行手段と、を備え、前記駆動制御手段は、予め定められた特定の条件が満たされた後の所定の期間は当該期間が経過した後の通常の期間よりも前記第２の遊技領域に所定数の遊技球が打ち込まれたときの前記第１の遊技領域内に入球される遊技球の数が多くなるように前記第２の可動片の駆動制御を行う遊技機であって、前記駆動制御手段が、前記特定の条件が満たされたときは、前記通常の期間及び前記所定の期間のいずれの期間中に当該条件が満たされたかを判断するとともに、前記通常の期間中に前記特定の条件が満たされたと判断されるときは、前記所定の期間としての第１の期間だけ前記第１の遊技領域内に入球される遊技球の数が多くなるように前記第２の可動片を駆動制御し、前記所定の期間中に前記特定の条件が満たされたと判断されるときは、前記第１の期間よりも長い前記所定の期間としての第２の期間だけ前記第１の遊技領域内に入球される遊技球の数が多くなるように前記第２の可動片を駆動制御することを要旨とする。
また、請求項２に記載の発明では、請求項１に記載の遊技機において、前記駆動制御手段は、前記所定の期間中であるか否かを示す期間情報が記憶される期間情報記憶手段を備え、前記特定の条件が満たされたときは、該期間情報記憶手段に記憶されている期間情報に基づいて前記通常の期間及び前記所定の期間のいずれの期間中に当該条件が満たされたかを判断するものであることを要旨とする。
また、請求項３に記載の発明では、請求項１または２に記載の遊技機において、前記抽選手段による前記抽選処理の結果には、前記第２の可動片の動作時間として各々異なる動作時間を示す動作時間情報がそれぞれ対応付けられた複数種の当たりが前記第２の可動片の動作契機となる当たりとして含まれ、前記駆動制御手段は、前記第２の可動片の駆動制御を行うときは該当する当たりの種類に応じた動作時間だけ前記第２の可動片が動作するように前記第２の可動片の駆動制御を行うことを要旨とする。
【手続補正書】
【提出日】平成21年4月10日(2009.4.10)
【手続補正１】
【補正対象書類名】特許請求の範囲
【補正対象項目名】全文
【補正方法】変更
【補正の内容】
【特許請求の範囲】
【請求項１】
被検体を核磁気共鳴により撮影する撮影手段と、被検体を移動して撮影対象領域を移動させる移動手段と、上記撮影手段により撮影された被検体の複数の領域の画像をそれぞれ再構成する手段と、上記移動手段の移動、停止を制御して、上記撮影手段により上記被検体の複数の領域をそれぞれ撮影する制御手段とを有する磁気共鳴イメージング装置において、
被検体の体動を検出する体動検出手段を備え、
上記制御手段は、上記体動検出手段により検出された被検体の体動量に基づいて、被検体の対象部位が、予め定めた撮影視野の中心又はその近傍となるように、上記移動手段を移動させることを特徴とする磁気共鳴イメージング装置。
【請求項２】
請求項１記載の磁気共鳴イメージング装置において、上記体動検出手段は、上記撮影手段により取得されるナビゲーターエコーを用いて上記体動を検出することを特徴とする磁気共鳴イメージング装置。
【請求項３】
請求項２記載の磁気共鳴イメージング装置において、上記制御手段は、上記ナビゲーターエコーに基づいて、被検体の息止め時を検出し、検出した息止め時に被検体を撮影することを特徴とする磁気共鳴イメージング装置。
【請求項４】
請求項１、２、３のうちのいずれか一項記載の磁気共鳴イメージング装置において、被検体の互いに隣接する撮影領域は、互いに重複する部分を有することを特徴とする磁気共鳴イメージング装置。
【請求項５】
請求項１、２、３、４のうちのいずれか一項記載の磁気共鳴イメージング装置において、被検体の対象部位が予め定めた撮影視野の中心となるように上記移動手段を移動させたとき、この移動手段の移動量と移動方向とを表示する表示手段を備えることを特徴とする磁気共鳴イメージング装置。
【請求項６】
請求項１記載の磁気共鳴イメージング装置において、上記制御手段は、上記体動検出手段により検出された被検体の体動量に基づいて、互いに隣接する領域間で撮影した画像が連続するように、上記移動手段を移動させることを特徴とする磁気共鳴イメージング装置。
【請求項７】
請求項２記載の磁気共鳴イメージング装置において、上記体動検出手段は、上記被検体の領域の位置決め時に取得したネビゲーターエコーを基準ナビゲーターエコーとし、この基準ナビゲータエコーと上記被検体の息止め時に取得したナビゲーターエコーとを用いて、上記被検体の体動量を算出し、算出した体動量に基づいて、上記制御手段が上記移動手段を移動させることを特徴とする磁気共鳴イメージング装置。
【手続補正書】
【提出日】平成21年5月14日(2009.5.14)
【手続補正１】
【補正対象書類名】特許請求の範囲
【補正対象項目名】全文
【補正方法】変更
【補正の内容】
【特許請求の範囲】
【請求項１】
複数の遊技球が打ち込まれ、当該打ち込まれた複数の遊技球が流下可能な遊技領域と、
前記遊技球の流下方向について最下流側に形成され、前記遊技領域に打ち込まれた遊技球を排出する排出口と、
前記排出口に向けて流下する遊技球の流下態様を不規則に変化させる流下態様変化手段と、
前記遊技領域を流下する複数の遊技球を対象として前記流下態様変化手段によって一球ずつ受け入れ可能な第一受入口と、
一または複数の図柄を表示可能な第一図柄表示手段と、
前記第一受入口に遊技球が受け入れられたことを検出する第一受入検出手段、
前記第一受入検出手段による遊技球の検出に基づいて抽選を行う第一抽選手段、
前記第一抽選手段による抽選または／および抽選結果の導出を保留する第一保留手段、
前記第一保留手段によって保留された順番に前記第一図柄表示手段に表示される一または複数の図柄の変動表示を行い、前記第一抽選手段による抽選結果を一つずつ導出する第一図柄表示制御手段、および
前記第一抽選手段による抽選に当選したことに応じて、遊技者に所定の遊技価値を付与可能となる大当たり遊技を実行する大当たり遊技実行手段、
を少なくとも有する遊技制御手段と
を備える遊技機であって、
前記遊技機は、
前記第一受入口よりも、前記遊技領域に打ち込まれた遊技球の受け入れ頻度が少ない第二受入口と、
一または複数の図柄を表示可能な第二図柄表示手段と、
所定の演出を表示可能な演出表示手段と
をさらに備えると共に、
前記遊技制御手段は、
前記第二受入口に遊技球が受け入れられたことを検出する第二受入検出手段、
前記第二受入検出手段による遊技球の検出に基づいて抽選を行う第二抽選手段、
前記第二抽選手段による抽選または／および抽選結果の導出を保留する第二保留手段、
前記第二保留手段によって保留された順番に前記第二図柄表示手段に表示される一または複数の図柄の変動表示を行い、前記第二抽選手段による抽選結果を一つずつ導出する第二図柄表示制御手段、および
前記所定の演出としての特別演出遊技態様を前記演出表示手段に表示する演出表示制御手段
をさらに有しており、
前記大当たり遊技実行手段は、前記第二抽選手段による抽選に当選したことに応じて前記大当たり遊技を実行するものであって、
前記特別演出遊技態様には、
特有の表示で導出される蓄積特典態様と、
特定条件の成立に応じて、前記蓄積特典態様が導出されるための導出進捗状況を、導出進捗値として所定の達成上限値に近づく態様で蓄積表示される蓄積表示態様と
が含まれており、
前記蓄積特典態様は、前記導出進捗値が前記所定の達成上限値まで蓄積表示されたときに前記蓄積表示態様とは異なる態様で表示される態様であって、
前記演出表示制御手段は、
前記特定条件の成立に応じて、前記導出進捗値を蓄積表示態様として蓄積表示する蓄積演出表示制御手段と、
前記導出進捗状況が前記所定の達成上限値に至ることを条件に前記蓄積特典態様を表示する蓄積特典演出表示制御手段と
を有しており、
前記蓄積演出表示制御手段は、
前記特定条件のうちの第一の特定条件としての前記導出進捗値が前記所定の達成上限値に近い所定の閾値以上であって且つ前記第一図柄表示手段または前記第二図柄表示手段において特定の態様で前記図柄の変動表示が行われるときに、前記導出進捗値を前記所定の達成上限値に至るまで蓄積する蓄積表示態様を表示可能であると共に、
前記特定条件のうち第二の特定条件としての前記第一受入口よりも遊技球の受け入れ頻度が少ない前記第二受入口に遊技球が受け入れられて前記第二保留手段によって保留されたときに、前記導出進捗値を一定量ずつ蓄積する蓄積表示態様を表示し、
前記蓄積特典演出表示制御手段は、
前記第一の特定条件が成立することによって前記導出進捗値が前記所定の達成上限値に至ったときは、当該第一の特定条件が成立した特定の態様での図柄の変動表示が行われるときに、前記蓄積特典態様を表示する一方、
前記第二の特定条件が成立することによって前記導出進捗値が前記所定の達成上限値に至ったときは、当該導出進捗値が前記所定の達成上限値に至ったときに前記第一保留手段および前記第二保留手段のうち少なくともいずれかによって保留されていれば、当該保留に基づく図柄の変動表示が終了するまで、前記蓄積特典態様の表示を留保する
ことを特徴とする遊技機。
【請求項２】
前記第二の特定条件は前記第一の特定条件よりも成立し難い条件であって、
前記演出表示制御手段は、前記第二の特定条件の成立に基づいて前記蓄積特典態様を表示するとき、前記導出進捗値と前記所定の達成上限値との差が前記一定量より大きい場合であっても、当該蓄積特典態様の表示に先だって、前記導出進捗値が前記所定の達成上限に至るまで蓄積表示する
ことを特徴とする請求項１に記載の遊技機。
【請求項３】
前記遊技球の流下方向について前記第一受入口よりも上流側に設けられ、前記遊技領域を流下する複数の遊技球のうち、一部の遊技球のみを、前記排出口に向かう方向とは異なる特定の方向に受け入れる流下球特定受入手段をさらに備え、
前記第二受入口は、前記流下球特定受入手段によって前記特定の方向に受け入れた遊技球を対象として一球ずつ受け入れ可能とすることによって、前記第一受入口よりも遊技球の受け入れ頻度が少なくなるように構成されている
ことを特徴とする請求項１または２に記載の遊技機。
【手続補正書】
【提出日】平成21年5月14日(2009.5.14)
【手続補正１】
【補正対象書類名】特許請求の範囲
【補正対象項目名】全文
【補正方法】変更
【補正の内容】
【特許請求の範囲】
【請求項１】
複数の遊技球が打ち込まれ、当該打ち込まれた複数の遊技球が流下可能な遊技領域と、
前記遊技球の流下方向について最下流側に形成され、前記遊技領域に打ち込まれた遊技球を排出する排出口と、
前記排出口に向けて流下する遊技球の流下態様を不規則に変化させる流下態様変化手段と、
前記遊技領域を流下する複数の遊技球を対象として前記流下態様変化手段によって一球ずつ受け入れ可能な第一受入口と、
前記第一受入口よりも、前記遊技領域に打ち込まれた遊技球の受け入れ頻度が少ない第二受入口と、
一または複数の図柄を表示可能な第一図柄表示手段および第二図柄表示手段と、
所定の演出を表示可能な演出表示手段と、
前記第一受入口に遊技球が受け入れられたことを検出する第一受入検出手段、
前記第一受入検出手段による遊技球の検出に基づいて抽選を行う第一抽選手段、
前記第一抽選手段による抽選または／および抽選結果の導出を保留する第一保留手段、
前記第一保留手段によって保留された順番に前記第一図柄表示手段に表示される一または複数の図柄の変動表示を行い、前記第一抽選手段による抽選結果を一つずつ導出する第一図柄表示制御手段、
前記第二受入口に遊技球が受け入れられたことを検出する第二受入検出手段、
前記第二受入検出手段による遊技球の検出に基づいて抽選を行う第二抽選手段、
前記第二抽選手段による抽選または／および抽選結果の導出を保留する第二保留手段、
前記第二保留手段によって保留された順番に前記第二図柄表示手段に表示される一または複数の図柄の変動表示を行い、前記第二抽選手段による抽選結果を一つずつ導出する第二図柄表示制御手段、
前記所定の演出としての特別演出遊技態様を前記演出表示手段に表示する演出表示制御手段、および
前記第一抽選手段または前記第二抽選手段による抽選に当選したことに応じて、遊技者に所定の遊技価値を付与可能となる大当たり遊技を実行する大当たり遊技実行手段、
を少なくとも有する遊技制御手段と
を備え、
前記特別演出遊技態様には、
特有の表示で導出される蓄積特典態様と、
特定条件の成立に応じて、前記蓄積特典態様が導出されるための導出進捗状況を、導出進捗値として所定の達成上限値に近づく態様で蓄積表示される蓄積表示態様と、が含まれており、
前記蓄積特典態様は、前記導出進捗値が前記所定の達成上限値まで蓄積表示されたときに前記蓄積表示態様とは異なる態様で表示される態様であって、
前記演出表示制御手段は、
前記特定条件の成立に応じて、前記導出進捗値を蓄積表示態様として蓄積表示する蓄積演出表示制御手段と、
前記導出進捗状況が前記所定の達成上限値に至ることを条件に前記蓄積特典態様を表示する蓄積特典演出表示制御手段と、を有しており、
前記蓄積演出表示制御手段は、前記特定条件としての前記第一受入口よりも遊技球の受け入れ頻度が少ない前記第二受入口に遊技球が受け入れられて前記第二保留手段によって保留されたときに、前記導出進捗値を一定量ずつ蓄積する蓄積表示態様を表示し、
前記蓄積特典演出表示制御手段は、前記特定条件が成立することによって前記導出進捗値が前記所定の達成上限値に至ったときは、少なくとも当該導出進捗値が前記所定の達成上限値に至る契機となった保留に基づく変動表示が行われるまで、前記蓄積特典態様を表示する
ことを特徴とする遊技機。
【請求項２】
前記特定条件を第一の特定条件とし、さらに、導出進捗値が所定の達成上限値に近い所定の閾値以上であって且つ第一図柄表示手段または第二図柄表示手段において特定の態様で図柄の変動表示が行われることを第二の特定条件としたとき、
前記蓄積演出表示制御手段は、前記第二の特定条件が成立することによって特定の態様で前記図柄の変動表示が行われるときに、前記導出進捗値を前記所定の達成上限値に至るまで蓄積する蓄積表示態様を表示可能であり、
前記蓄積特典演出表示制御手段は、前記第二の特定条件が成立したときは、当該第二の特定条件が成立した特定の態様での図柄の変動表示を行うときにのみ前記蓄積特典態様を表示する
ことを特徴とする請求項１に記載の遊技機。
【請求項３】
前記蓄積特典態様には、第一の蓄積特典態様と、第二の蓄積特典態様とが含まれており、
前記蓄積特典演出表示制御手段は、
前記第一の特定条件が成立することによって前記導出進捗値が所定の達成上限値に至ったときは、当該導出進捗値が前記所定の達成上限値に至ったときに前記第一保留手段および前記第二保留手段のうち少なくともいずれかによってすでに保留されていれば、当該導出進捗値が所定の達成上限値に至る契機となった保留に基づく図柄の変動表示が行われるまで、前記第一保留手段および前記第二保留手段のうちいずれかによってすでに保留されていた保留に基づく図柄の変動表示を跨って前記第一の蓄積特典態様を表示すると共に、当該導出進捗値が前記所定の達成上限値に至る契機となった保留に基づく変動が行われるときに、前記第二の蓄積特典態様を表示する一方、
前記第二の特定条件が成立したときは、当該第一の特定条件が成立する契機となった特定の態様での図柄の変動表示が行われるときに、前記特別演出遊技態様としての最終態様である前記第二の蓄積特典態様まで表示することを特徴とする。
ことを特徴とする請求項１または２に記載の遊技機。
【手続補正書】
【提出日】平成21年5月14日(2009.5.14)
【手続補正１】
【補正対象書類名】特許請求の範囲
【補正対象項目名】全文
【補正方法】変更
【補正の内容】
【特許請求の範囲】
【請求項１】
複数の遊技球が打ち込まれ、当該打ち込まれた複数の遊技球が流下可能な遊技領域と、
前記遊技球の流下方向について最下流側に形成され、前記遊技領域に打ち込まれた遊技球を排出する排出口と、
前記排出口に向けて流下する遊技球の流下態様を不規則に変化させる流下態様変化手段と、
前記遊技領域を流下する複数の遊技球を対象として前記流下態様変化手段によって一球ずつ受け入れ可能な第一受入口と、
一または複数の図柄を表示可能な第一図柄表示手段と、
前記第一受入口に遊技球が受け入れられたことを検出する第一受入検出手段、
前記第一受入検出手段による遊技球の検出に基づいて抽選を行う第一抽選手段、
前記第一抽選手段による抽選または／および抽選結果の導出を保留する第一保留手段、
前記第一保留手段によって保留された順番に前記第一図柄表示手段に表示される一または複数の図柄の変動表示を行い、前記第一抽選手段による抽選結果を一つずつ導出する第一図柄表示制御手段、および
前記第一抽選手段による抽選に当選したことに応じて、遊技者に所定の遊技価値を付与可能となる大当たり遊技を実行する大当たり遊技実行手段、
を少なくとも有する遊技制御手段と
を備える遊技機であって、
前記遊技機は、
前記第一受入口よりも、前記遊技領域に打ち込まれた遊技球の受け入れ頻度が少ない第二受入口と、
一または複数の図柄を表示可能な第二図柄表示手段と、
所定の演出を表示可能な演出表示手段と
をさらに備えると共に、
前記遊技制御手段は、
前記第二受入口に遊技球が受け入れられたことを検出する第二受入検出手段、
前記第二受入検出手段による遊技球の検出に基づいて抽選を行う第二抽選手段、
前記第二抽選手段による抽選または／および抽選結果の導出を保留する第二保留手段、
前記第二保留手段によって保留された順番に前記第二図柄表示手段に表示される一または複数の図柄の変動表示を行い、前記第二抽選手段による抽選結果を一つずつ導出する第二図柄表示制御手段、および
前記所定の演出としての特別演出遊技態様を前記演出表示手段に表示する演出表示制御手段
をさらに有しており、
前記大当たり遊技実行手段は、前記第二抽選手段による抽選に当選したことに応じて前記大当たり遊技を実行するものであって、
前記特別演出遊技態様には、
特有の表示で導出される蓄積特典態様と、
特定条件の成立に応じて、前記蓄積特典態様が導出されるための導出進捗状況を、導出進捗値として所定の達成上限値に近づく態様で蓄積表示される蓄積表示態様と
が含まれており、
前記蓄積特典態様は、前記導出進捗値が前記所定の達成上限値まで蓄積表示されたときに前記蓄積表示態様とは異なる態様で表示される態様であって、
前記演出表示制御手段は、
前記特定条件の成立に応じて、前記導出進捗値を蓄積表示態様として蓄積表示する蓄積演出表示制御手段と、
前記導出進捗状況が前記所定の達成上限値に至ることを条件に前記蓄積特典態様を表示する蓄積特典演出表示制御手段と
を有しており、
前記蓄積演出表示制御手段は、
前記特定条件のうちの第一の特定条件としての前記導出進捗値が前記所定の達成上限値に近い所定の閾値以上であって且つ前記第一図柄表示手段または前記第二図柄表示手段において特定の態様で前記図柄の変動表示が行われるときに、前記導出進捗値を前記所定の達成上限値に至るまで蓄積する蓄積表示態様を表示可能であると共に、
前記特定条件のうち第二の特定条件としての前記第一受入口よりも遊技球の受け入れ頻度が少ない前記第二受入口に遊技球が受け入れられて前記第二保留手段によって保留されたときに、前記導出進捗値を一定量ずつ蓄積する蓄積表示態様を表示し、
前記蓄積特典演出表示制御手段は、
前記第一の特定条件が成立することによって前記導出進捗値が前記所定の達成上限値に至ったときは、当該第一の特定条件が成立した特定の態様での図柄の変動表示が行われるときに、前記蓄積特典態様を表示する一方、
前記第二の特定条件が成立することによって前記導出進捗値が前記所定の達成上限値に至ったときは、当該導出進捗値が前記所定の達成上限値に至ったときに前記第一保留手段および前記第二保留手段のうち少なくともいずれかによって保留されていれば、当該保留に基づく図柄の変動表示が終了するまで、前記蓄積特典態様の表示を留保する
ことを特徴とする遊技機。
【請求項２】
前記蓄積特典態様には、第一の蓄積特典態様と、第二の蓄積特典態様とが含まれており、
前記蓄積特典演出表示制御手段は、
前記第一の特定条件が成立したときは、当該第一の特定条件が成立する契機となった特定の態様での図柄の変動表示が行われるときに、前記第一の蓄積特典態様および前記第二の蓄積特典態様の両方を表示する一方、
前記第二の特定条件が成立することによって前記導出進捗値が所定の達成上限値に至ったときは、当該導出進捗値が所定の達成上限値に至ったときに前記第一の蓄積特典態様を表示すると共に、当該導出進捗値が前記所定の達成上限値に至ったときに前記第一保留手段および前記第二保留手段のうち少なくともいずれかによって保留されていれば、当該保留に基づく図柄の変動表示が終了するまで、前記第二の蓄積特典態様の表示を留保する
ことを特徴とする請求項１に記載の遊技機。
【請求項３】
少なくとも前記第二保留手段による保留数を表示可能な第二保留表示手段をさらに備え、
前記遊技制御手段は、
前記第二の特定条件が成立することによって導出進捗値が所定の達成上限値に至ったときに、当該導出進捗値が前記所定の達成上限値に至る契機となった前記第二保留手段による保留を含めた前記第二保留手段による保留数を演出保留カウント値として記憶すると共に、前記第二保留手段による保留に基づいて前記一または複数の図柄の変動表示が行われる毎に前記演出保留カウント値を１ずつ減算する演出保留カウント手段、および
前記第二保留手段による保留数を前記第二保留表示手段に表示する第二保留表示制御手段をさらに有しており、
前記蓄積特典演出表示制御手段は、演出保留カウント手段による演出保留カウント値が１になったことに基づいて、前記第二の蓄積特典態様を表示する
ことを特徴とする請求項２に記載の遊技機。
【手続補正書】
【提出日】平成21年5月14日(2009.5.14)
【手続補正１】
【補正対象書類名】特許請求の範囲
【補正対象項目名】全文
【補正方法】変更
【補正の内容】
【特許請求の範囲】
【請求項１】
複数の遊技球が打ち込まれ、当該打ち込まれた複数の遊技球が流下可能な遊技領域と、
前記遊技球の流下方向について最下流側に形成され、前記遊技領域に打ち込まれた遊技球を排出する排出口と、
前記排出口に向けて流下する遊技球の流下態様を不規則に変化させる流下態様変化手段と、
前記遊技領域を流下する遊技球を対象として受け入れ可能な受入口と、
前記受入口としての、前記遊技領域を流下する複数の遊技球を対象として前記流下態様変化手段によって一球ずつ受け入れ可能な第一受入口及び、当該第一受入口よりも遊技球の受け入れ頻度が少ない第二受入口と、
一または複数の図柄を表示可能な第一図柄表示手段および第二図柄表示手段と、
所定の演出を表示可能な演出表示手段と、
前記第一受入口に遊技球が受け入れられたことを検出する第一受入検出手段、
前記第一受入検出手段による遊技球の検出に応じて抽選を行う第一抽選手段、
前記第一抽選手段による抽選または／および抽選結果の導出を保留する第一保留手段、
前記第一保留手段によって保留された順番に前記第一図柄表示手段に表示される一または複数の図柄の変動表示を行い、前記第一抽選手段による抽選結果を一つずつ導出する第一図柄表示制御手段、
前記第二受入口に遊技球が受け入れられたことを検出する第二受入検出手段、
前記第二受入検出手段による遊技球の検出に応じて抽選を行う第二抽選手段、
前記第二抽選手段による抽選または／および抽選結果の導出を保留する第二保留手段、
前記第二保留手段によって保留された順番に前記第二図柄表示手段に表示される一または複数の図柄の変動表示を行い、前記第二抽選手段による抽選結果を一つずつ導出する第二図柄表示制御手段、
前記所定の演出としての特別演出遊技態様を少なくとも前記演出表示手段に表示する演出表示制御手段、および
前記第一抽選手段または前記第二抽選手段による抽選に当選したことに応じて、遊技者に所定の遊技価値を付与可能となる大当たり遊技を実行する大当たり遊技実行手段、
を有する遊技制御手段と
を備え、
前記特別演出遊技態様には、
特有の表示で導出される蓄積特典態様と、
特定条件の成立に応じて、前記蓄積特典態様が導出されるための導出進捗状況を、導出進捗値として所定の達成上限値に近づく態様で蓄積表示される蓄積表示態様と
が含まれており、
前記蓄積特典態様は、前記導出進捗値が前記所定の達成上限値まで蓄積表示されたときに前記蓄積表示態様とは異なる態様で表示される態様であって、
前記演出表示制御手段は、
前記特定条件のうち第一の特定条件にかかる前記受入口に遊技球が受け入れられることに基づいて保留される毎に、導出進捗値を蓄積表示態様として一定量ずつ蓄積表示する通常蓄積演出表示制御手段と、
前記第一の特定条件にかかる前記受入口に遊技球が受け入れられることに基づく保留によって前記導出進捗値が前記所定の達成上限値に至った場合において、当該所定の達成上限値に至る契機となった保留に基づく前記図柄の変動表示が行われるときに前記蓄積特典態様を表示する通常蓄積特典演出表示制御手段と
を有しており、さらに、
前記第一の特定条件とは異なる第二の特定条件として、前記第一図柄表示手段または前記第二図柄表示手段において特定の態様で前記図柄の変動表示が行われることによる当該変動表示に際し、前記所定の達成上限値と前記導出進捗値との差が前記一定量よりも大きかったとしても、前記導出進捗値が前記所定の達成上限値に近い所定の閾値以上であることを条件に、前記導出進捗値を前記所定の達成上限値に至るまで蓄積表示態様として蓄積表示可能な特別蓄積演出表示制御手段を有すると共に、
前記第二の特定条件が成立することによって前記導出進捗値が前記所定の達成上限値に至った場合には、当該第二の特定条件が成立した特定態様での図柄の変動表示が前記第一図柄表示手段または前記第二図柄表示手段において行われるときに前記蓄積特典態様を表示する特別蓄積特典演出表示制御手段を有する
ことを特徴とする遊技機。
【請求項２】
前記第二保留手段は、所定の範囲内で保留可能であると共に、
前記第一の特定条件は、前記受入口のうち第一受入口よりも遊技球の受入頻度が少ない第二受入口に遊技球が受け入れられ、且つ前記第二保留手段に保留されることであって、
前記通常蓄積演出表示制御手段は、前記第二保留手段に保留される毎に、前記導出進捗値を蓄積することによって前記導出進捗値が前記所定の達成上限値に近づく態様で、前記蓄積表示態様を表示する
ことを特徴とする請求項１に記載の遊技機。
【請求項３】
前記第二の特定条件は前記第一の特定条件よりも成立し難い条件であって、
前記特別蓄積演出表示制御手段は、
前記第二の特定条件が成立したとき、前記導出進捗値と前記所定の達成上限値との差が前記一定量より大きい場合であっても、前記導出進捗値が前記所定の達成上限値に至る態様で、前記蓄積表示態様を表示する
ことを特徴とする請求項１または２に記載の遊技機。
【手続補正書】
【提出日】平成21年5月14日(2009.5.14)
【手続補正１】
【補正対象書類名】特許請求の範囲
【補正対象項目名】全文
【補正方法】変更
【補正の内容】
【特許請求の範囲】
【請求項１】
遊技領域が形成され、当該遊技領域に向けて遊技媒体が打ち込まれる遊技盤と、
前記遊技領域に向けて打ち込まれた遊技媒体を受け入れ可能な始動口と、
所定の遊技態様を導出する遊技態様導出手段と、
遊技領域に向けて打ち込まれた遊技媒体が前記始動口に受け入れられたことを検出する始動検出手段、
前記始動検出手段による遊技媒体の検出に応じて少なくとも大当たりに当選したか否かの判定を行う抽選手段、
前記遊技態様導出手段において所定の遊技態様で導出を行い、前記抽選手段による抽選結果を導出する遊技態様導出制御手段、
前記遊技態様導出制御手段によって前記遊技態様導出手段に導出する複数の遊技態様を記憶すると共に、当該複数の遊技態様のうち少なくとも一つの遊技態様としてリーチ遊技態様を記憶する遊技態様記憶手段、および
前記抽選手段による抽選において当選したことに応じて大当たり遊技を実行する大当たり遊技実行手段、を少なくとも有する遊技制御手段と
を備え、
前記大当たり遊技実行手段は、
前記抽選手段による抽選において当選した当たりが長当たりであるときに、遊技者に多量の遊技媒体の払い出しが可能となる長当たり遊技を実行する長当たり遊技実行手段と、
前記抽選手段による抽選において当選した当たりが短当たりであるときに、前記長当たり遊技よりも遊技者に払い出される遊技媒体が少量となる短当たり遊技を実行する短当たり遊技実行手段と
を有しており、
前記リーチ遊技態様は、
複数の図柄の変動表示が行われると共に所定の効果音が出力される全図柄変動期間と、
前記全図柄変動期間を経たのちに表示されると共に、所定の楽曲の特定部分を含む特定楽音が出力されるリーチ変動期間と
から少なくとも構成されていると共に、
前記リーチ遊技態様には、期低リーチ遊技態様と期高リーチ遊技態様とが含まれており、
前記期低リーチ遊技態様は、前記抽選手段による抽選において当選している期待値が前記期高リーチ遊技態様よりも相対的に低いリーチ遊技態様であり、
前記期高リーチ遊技態様は、前記リーチ変動期間における表示態様が前記期低リーチ遊技態様のリーチ変動期間における表示態様と異なると共に、前記抽選手段による抽選において当選している期待値が前記期低リーチ遊技態様よりも相対的に高いリーチ遊技態様であり、
前記遊技態様導出制御手段は、
前記抽選手段による抽選結果に基づいて前記遊技態様記憶手段に記憶される遊技態様のうちいずれかの遊技態様を前記遊技態様導出手段に導出するものであって、
特定条件の成立に応じて、前記全図柄変動期間における前記所定の効果音に代えて前記リーチ変動期間に出力される前記特定楽音と同一の楽曲であって且つ当該特定楽音とは異なる部分を含む一般楽音を出力すると共に、
当該全図柄変動期間を経たのちにリーチ変動期間に至る場合には前記期高リーチ遊技態様を導出し、
当該全図柄変動期間を経たのちにリーチ変動期間に至らない場合には前記抽選手段による抽選において当選している期待値が低く且つ前記リーチ遊技態様とは異なる遊技態様を導出可能である
ことを特徴とする遊技機。
【請求項２】
前記遊技態様導出制御手段は、前記特定条件が成立したとき、前記全図柄変動期間を経たのちにリーチ変動期間に至らなかった場合であっても、前記抽選手段による抽選において短当たりに当選した場合には短当たりに当選したことを示す態様を導出する
ことを特徴とする請求項１に記載の遊技機。
【請求項３】
前記リーチ変動期間において出力される特定楽音は、当該所定の楽曲の主要部のフレーズを含む楽音であって、
前記全図柄変動期間において所定の効果音に代えて出力される一般楽音は、前記所定の楽曲の導入にかかるフレーズを含む楽音である
ことを特徴とする請求項１または２に記載の遊技機。